(57)【要約】【課題】【解決手段】文書の束（７）をまとめる留め具が、少なくとも１つの留め部（２）と少なくとも１つのタブ部（３、４）とに分割された紙などの折り畳み可能なシートを有する。再配置可能な接着剤などの取り付け手段により、これら留め部とタブ部とが、束の端部で折り畳まれる際に束の少なくとも一番上の文書と最後の文書とに取り付けられる。これを補助するために、シートには、束の最後の文書に留め具を取り付けるためにタブ部を束の端部で折り畳む前に留め部を束の一番上の文書に取り付ける際に束の少なくとも１つの端部と整列される少なくとも１つの折り線が記されている。好ましい実施形態では、留め具シートの外周であるいはこれの外部で交差し互いに直交する２本の折り線を有している。
2005537953.tif 000002
【特許請求の範囲】
【請求項１】
文書の束をまとめるための留め具であって、この留め具は、少なくとも１つの留め部と、少なくとも１つのタブ部と、束の端部で折り畳まれたときにこれら留め部とタブ部とを少なくとも一番上の文書と最後の文書とに取り付けるための少なくとも１つの取り付け手段とを備えた折り畳み可能なシートを有し、このシートには、この留め具を束の最後の文書に取り付けるためにタブ部を束の端部で折り畳む前に束の一番上の文書に留め部を取り付ける際に束の少なくとも１つの端部と整列される少なくとも１つの折り線が付けられている留め具。
【請求項２】
前記取り付け手段は、再配置可能な接着剤を有する請求項１の留め具。
【請求項３】
前記接着剤は、シートの片面に設けられた層である請求項２の留め具。
【請求項４】
前記シートの片面の小さい方の端部が、非粘着性にされている請求項３の留め具。
【請求項５】
前記留め部とタブ部とは、異なる濃さまたは色合いによって互いに識別可能である前記全ての請求項のいずれか１の留め具。
【請求項６】
前記留め部とタブ部との間の相互境界線が、プリントされた線、ミシン目の線、または折れ線によって示されている請求項５の留め具。
【請求項７】
前記境界線は、折れ線によって示され、また比較的強い接着剤が、この折れ線に沿っておよびこれを横切って延びている、請求項２に従属している請求項６の留め具。
【請求項８】
第１および第２の折り線が、前記シートを、中央の留め部と、まとめられた文書の角部で互いに直交する端部に沿って折り畳み可能な第１及び第２の外側のタブ部とに分割している、前記全ての請求項のいずれか１の留め具。
【請求項９】
前記外側のタブ部の少なくとも１つが、２つ以上のセグメントに分割され、各セグメントは、束の夫々の文書に取り付けるために束の互いに直交する端部の１つで折り畳み可能である請求項８の留め具。
【請求項１０】
前記両タブ部は、折り畳んだ後に、束の最後の文書に取り付けられるように互いに実質的に当接する請求項８の留め具。
【請求項１１】
前記第１及び第２の折り線は、互いに直交している請求項８乃至１０のいずれか１の留め具。
【請求項１２】
前記第１及び第２の折り線は、前記シートの端部で交差している請求項１１の留め具。
【請求項１３】
前記第１及び第２の折り線の延長部は、シートの外周の外部で交差している請求項１１の留め具。
【請求項１４】
ノッチが、シートの前記端部から前記交差の領域内で内方に延びている請求項１３の留め具。
【請求項１５】
前記シートは、長方形である前記全ての請求項のいずれか１の留め具。
【請求項１６】
前記長方形の長辺対短辺の比率は、２：１である請求項１５の留め具。
【請求項１７】
前記折り線は、前記シートを、三角形の中央の留め部と、これの側に位置しこれに対して裏返しにされた形の２つの三角形の外側のタブ部とに分割している請求項１５もしくは１６の留め具。
【請求項１８】
前記両タブ部が、束の最後の文書に取り付けられるように互いに実質的に当接すると、一緒になって、最後の文書の裏面に、束の一番上の文書に取り付けられた三角形の留め部に対応する三角形を作る請求項１０に従属している請求項１７の留め具。
【請求項１９】
前記互いに直交する折り線が、前記シートを、中央の留め部と、これの側に位置しこれに対して裏返しにされた形の２つの外側のタブ部とに分割し、前記中央の留め部は、互いに直交する折り線と、これら折り線の外側端部に交わる少なくとも１つの端部とによって規定されている請求項１１乃至１４のいずれか１の留め具。
【請求項２０】
前記端部は、前記折り線に対向し互いに直交する２つの側面を有する請求項１９の留め具。
【請求項２１】
前記側面の各々は、三角形の中央の留め部を規定するように対向する折り線に平行である請求項２０の留め具。
【請求項２２】
前記少なくとも１つの端部は、湾曲されているか不規則にされている請求項１９の留め具。
【請求項２３】
前記留め部の少なくとも１つの境界線は、前記留め部と外側タブ部との間の相互境界線の延長部である請求項１９乃至２２のいずれか１の留め具。
【請求項２４】
前記第１および第２のタブ部の夫々に与えられた２つの構成成分に分割される図形のものあるいは印を有し、タブ部が束の最後の文書に取り付けられると、これら２つの構成成分が一緒に見られるように結合される前記全ての請求項のいずれか１の留め具。
【請求項２５】
前記全ての請求項のいずれか１の留め具用のパッド。
【請求項２６】
請求項８と請求項８に従属する全ての請求項のいずれか１の留め具を使用して文書の束を留める方法であって、
前記留め具の第１及び第２の折り線を、留められる角部内で、束の一番上の文書の端部と整列させることと、
前記留め具の留め部を一番上の第１の文書に取り付けることと、
前記第１の文書と整列させるように第２の文書を束に加えることと、
前記留め具の第１のタブ部を束の関連した端部で折り畳み、この第１のタブ部を前記第２の文書に取り付けることと、
前記第１及び第２の文書と整列させるように第３の文書を束に加えることと、
前記留め具の第２のタブ部を束の関連した端部で折り畳み、この第２のタブ部を前記第３の文書に取り付けることとを具備する方法。
【請求項２７】
前記第１及び第２のタブ部は、束の異なる端部で折り畳まれる請求項２６の方法。
【請求項２８】
請求項９と請求項９に従属する全ての請求項のいずれか１の留め具を使用する場合、タブ部の前記セグメントは、束の異なる文書に夫々取り付けられる請求項２６もしくは２７の方法。
【発明の詳細な説明】
【技術分野】
【０００１】
本発明は、留め具に関し、特に、紙、カード、あるいは同様の資材の束をまとめて留める留め具に関する。
【背景技術】
【０００２】
簡潔さのために、本明細書では、紙、カード、あるいは同様の資材を全文を通して“紙”あるいは単に“文書”と言及する。
【０００３】
一般には、複数枚の紙が束にまとめられるとき、これらの紙は、ホチキス、ペーパー・クリップ、または、ばねクリップや留め金具などの他の紙保持手段あるいは紙拘束手段などの留め具によって互いに保持される。公知のタイプの留め具は夫々に幾つかの問題を解決し、夫々の利点を有しているが、他の問題点に悩まされるか、自ら他の問題点を生じる。よって、このような欠点を回避するか軽減する他の留め具の必要性が未だ存在している。
【発明の開示】
【発明が解決しようとする課題】
【０００４】
例えば、多くの公知の留め具は、ホチキス針のためのホチキスとホチキス針取り外し器のような特定の取り付け並びに／もしくは取り外しツールを必要としている。このようなツールの使用が必要であることが、留め具の１つの欠点である。なぜなら、こうしたツールは保管され、保持され、装填されなくてはならず、更に言うまでもなく、付加的なコストもかかり、それは留め具自体よりもずっと高価である場合もあるからである。しかし、このようなツールの使用は、所定の留め具を取り付けるあるいは取り外すために必須であるか、少なくとも非常に効果を左右するものである場合がある。
【０００５】
更に、留め具の多くは、取り付けまたは取り外しの際に、この留め具によってまとめられる紙に穿刺する、折り線をつける、裂く、あるいは印をつけることを伴うため、有害である。この傷により紙が再使用に適さなくされることが多い。留め具の幾つかもまた、使用および取り外しによって傷がつけられるので一回限定の使用向けにされていて、使用後は廃棄され、交換品の取り付けを必要とすることがある。これは、例えば１枚の紙を取り除くか追加するなどの目的で留められた紙の束を一時的にばらさなくてはならないだけの時には特に、時間とお金の無駄である。また、公知の留め具は、コピー、スキャン、あるいはファックス送信するときに束の紙またはこのような紙の束に不注意に残されている場合には、コピー機、スキャナー、あるいはファックス装置のような装置を傷つける恐れがある。
【０００６】
ペーパー・クリップによって例示された他の僅かな非破壊的かつ再使用可能な留め具は、複数枚の紙を各種用途に応じて充分に堅くまとめることができず、使用によって壊れることもある。例えば、ペーパー・クリップは、伸縮自在でこれ以上は把持できないという程度まで可塑的に伸び縮みおよび変形する傾向がある。また、ペーパー・クリップの突き出た外形により、まとめて留めている紙が束からほつれたり外れたりしやすい。
【０００７】
更なる問題は、留め具の多くが、まとめて留められる比較的薄く軽い紙と比べるとかなりの厚みと重さとを有する点である。重みが増すと、郵便料金が高くなる。また、留められた紙の束の厚みを、ホチキス針が１ｍｍ以上、ペーパー・クリップが２ｍｍ以上増すことから、留められた紙の複数の束からなるコンパクトで平らな保管物には不利になる。実際に、束、つまり留め具の数に比例して留め具が束の積層物の局所的な厚みを増すにつれて、留められた紙を注意して積層する必要が生まれる。さもなければ、留め具がこの積層物の片側に集まることによって、積層物が高くなるにつれてその垂直線から更に離れるように積層物を傾斜させがちになるので、積層物が倒れる可能性がある。同じ問題が、留められた束を封筒に入れて郵送するか、ファイリング・キャビネット内に配置するときに生じ、ファイリングが効果的でなくされ、また追加の郵送料金が発生し得る。
【０００８】
安全性もまた、留め具の多くにとっての１つの懸案事項である。留め具自体は小さくなることが多く、また、子供には切り屑詰まりの危険を与える。留め具はまた、全ての使用者特に子供と高齢者とに負傷を与える危険がある鋭い端部即ち先端部を有することが多い。留め具を取り付けもしくは取り外しするためにツールが必要となる場合には、そのツールの使用にまで負傷の危険が及ぶ。
【０００９】
本発明が考案されたのは、このような背景に対抗するためである。幅広く見ると、本発明は、例えば少なくとも１つの留め部と少なくとも１つのタブ部とに分割される紙などの折り畳み可能なシートを有する文書の束をまとめるための留め具を考案している。取り付け手段は、束の端部で折り畳まれたときにこれら留め部とタブ部とを少なくとも一番上の文書と最後の文書とに取り付けることを可能にする。これを補助するために、シートには、束の最後の文書に留め具を取り付けるためにタブ部を束の端部で折り畳む前に留め部を束の一番上の文書に取り付ける際に束の少なくとも１つの端部と整列される少なくとも１つの折り線が付けられている。
【００１０】
磁力や静電気などの他の取り付け手段が取り上げられるが、取り付け手段は再配置可能な接着剤を有する方が好ましい。接着剤は、１つの層としてシートの１側面に適当に塗布されるが、シートのこの側面のより小さい端部は、留め具の取り付け、取り外し、および再配置を補助するための持ち上げタブとして接着剤のない状態で残され得る。
【００１１】
留め部とタブ部とは、異なる濃さあるいは色付けによって識別されると好ましい。付加的に、または、別の例では、留め部とタブ部との間の相互境界線が、プリントされた線、ミシン目の線、もしくは折れ線（crease line）（例えば単一折れ線か１つ以上のバンドで分割された複数の折れ線）によって記され得る。折れ線が使用されている場合は、比較的強い接着剤が、まとめられた文書の端部に接着するために、折れ線に沿っておよびこれを横切って延びることが可能である。
【課題を解決するための手段】
【００１２】
本発明の現在好ましい実施形態は、シートを中央の留め部と、まとめられた文書の角部で互いに直交する端部で折り畳み可能な第１及び第２の外側のタブ部とに分割する第１及び第２の折れ線を使用している。きれいで安定した仕上げのために、２つのタブ部が、折り畳まれた後に束の最後の文書に接着されるように実質的に互いに当接され得る。第１及び第２の折り線が、まとめられる文書の互いに直交する端部で折り畳むのに適するように、互いに直交していると最も好ましい。
【００１３】
複数の紙が束になってより堅く保持されるようにするために、少なくとも１つの外側のタブ部が、２つ以上のセグメントに分割できる。各セグメントは、束の各文書に取り付けるために束の互いに直交する端部で折り畳み可能である。
【００１４】
第１及び第２の折り線は、シートの端部で交差可能であり、あるいは、第１及び第２の折り線の延長部が、シートの外周の外部で交差することも可能である。折り畳んだ際のずれを許容するために、ノッチが交差領域内でシートの端部から内方に延びていてよい。
【００１５】
多くの様々な形状が、本発明の概念の範囲内でシートに与えられ得るが、本発明の実施形態の大部分は、長方形のシートを採用している。その場合には、長方形形状の長辺対短辺の比率が、２：１であると好ましい。更に、折り線が、シートを三角形の中央の留め部と、これの側に位置しこれに対して裏返しにされた形の２つの三角形の外側のタブ部とに分割する。タブ部は、束の最後の文書に接着されるように実質的に互いに当接すると、一緒になって最後の文書の裏面に束の一番上の文書に取り付けられた三角形の中央の留め部に対応する三角形をつくる。
【００１６】
本発明の留め具は、第１および第２のタブ部の夫々に与えられた２つの構成成分に分割される図形のものあるいは印を有することが可能である。従って、タブ部が束の最後の文書に取り付けられると、これら２つの構成成分が並んで見られるように結合される。
【００１７】
本発明の概念は、本発明に係わって本明細書で規定された留め具のパッドにまで及んでいる。
【００１８】
本発明の第２の態様に係われば、文書の束を留める方法が提供されており、この方法は、留められる紙の角部で留め具の第１および第２の折り線を束の一番上の文書の端部と整列させることと、留め部を第１の文書に取り付けることと、第１の文書と整列させるように第２の文書を束に加えることと、留め具の第１のタブ部を束の関連した端部で折り畳み、タブ部を第２の文書に取り付けることと、第１及び第２の文書と整列させるように第３の文書を束に加え、留め具の第２のタブ部を束の関連した端部で折り畳み、タブ部を第３の文書に取り付けることとを有する。
【００１９】
本発明がより容易に理解され得るように、添付図面を例として参照する。
【発明を実施するための最良の形態】
【００２０】
図面の図１および図２を最初に参照すれば、本発明の留め具１は、２枚以上の紙を束でまとめて留めるために便利なように長方形にされた接着剤付きのシートである。本留め具１は、簡単に紙に対して正確な位置付けがされ折り畳まれ得るように案内の印を有し、ホチキス、ペーパー・クリップ、もしくは他の公知の留め具に代わる便利で効果的な代替品を形成する。
【００２１】
図１および図２に示されている好ましい１つの実施形態は、白い軽量（７０グラム）の紙からできており、これのディメンションは縦５０ｍｍ横２５ｍｍである。更に読み進めば明らかになるように、これらの特性は単なる例として言及されているのみである。しかしながら、留め具１が拡大されるか縮小されるかされ、長方形形状の各長辺が各短辺の長さの２倍の長さにされると、特に好ましい。
【００２２】
図１に示されている留め具１の前側即ち上側は、折りを案内する取り付け手段を形成する３つの直角三角形に分割されている。これらの三角形は、中央の大きい直角三角形２が、この三角形２に対して裏返しにされた形の２つの小さい直角三角形３、４によって側に位置するように配置されている。各三角形の内角は、９０°、４５°、および４５°である。図示されている実施形態では、三角形の辺は、大きな三角形２の場合は底辺が５０ｍｍで２つの横辺が３５ｍｍであり、２つの小さな三角形３、４の場合は底辺が３５ｍｍで２つの横辺が２５ｍｍである。かくして、大きな三角形２と２つの小さな三角形３、４との間の相互境界線は、夫々に長さが３５ｍｍで、長方形形状の２つの底角部からこの長方形形状の反対側の長い端部に沿って中ほどで交差するように延び互いに直交する直線によって規定されている。留め具１は全体として拡大もしくは縮小可能だが、三角形のサイズのこの比率は、全ての留め具のサイズについて一定であり得ると予想される。
【００２３】
折り案内領域を形成する三角形２、３、４は、夫々を識別可能にするように陰影をつけるか、色付けするか、印を付けることが可能であり、これらの境界線は、様々の方法で規定可能である。この例では、２つの小さな三角形３、４が、大きな中央三角形２と対照的な色で陰影を付けられており、三角形２、３、４の間の相互境界線は、三角形２、３、４の間の対照性によって与えられている。大きな三角形２は、留め具が使用されると留められた紙の束に対して直立方向に位置されるように適当に整列されるが、シート上に使用者が注釈を記せるように白か天然色の部分が効果的に残されるようにする透かし（watermark）（図示されず）を組み込み可能である。しかし、のちほど明らかになるように、多くの例では大きな三角形２のみが色付けされ得るのに対し、幾つかの変形例には全面的な色付けが可能である。また、小さな三角形３、４と大きな三角形２との間の相互境界線を線で示してもよい。
【００２４】
ここで、留め具１の裏面即ち底面を示す図２を参照すれば、これら境界線は、留め具１の前面とかなり近い方法で印を付けることが可能だが、無地のままにされると使用される紙のどんな色にも適応できて好ましい。しかし、この側面は、留め具１の全長に沿って連続して延び、かつ長方形形状の上方の長い端部からその幅の大部分を横切って長方形形状の底方の長い端部に向けて部分的に延びた、粘着性の再配置可能な接着層５を有する。示されている１つの好ましい実施形態では、接着層５は、留め具１を規定する長方形形状部の底方の長い端部に沿って縦５ｍｍ横５０ｍｍの長方形のストリップを接着剤がない状態で残した、縦５０ｍｍ横２０ｍｍの長方形形状である。このストリップ６は、あとで説明されるように留め具１を取り除くか再配置させることが望ましいときに、この留め具１がこのような留め具のパッドあるいは紙から容易に取り外され得るように持ち上げタブとして働く。
【００２５】
接着層５の形状及びサイズは、留め具１のサイズ、使用される接着剤の性質、および留め具１が取り付けられる紙の枚数やサイズや重さに応じて変えられ得る。また、接着層５は、必ずしも留め具１の全ての部分に連続して延びている必要はない。
【００２６】
本発明の留め具１は、図３に示されている紙８、９、１０の束７をまとめて揃え、続いて図４に示されているようにまとめられた束の一番上の紙８の角部に留め具１の接着面が面するように配置することによって、使用可能である。留め具１は、三角形２、３、４の境界線を前記角部で交差する紙８の端部と揃えるように紙８に向けられている。これにより、紙８の角部に取り付けられた大きな三角形２の直角形の角部が留め部として配置され、小さな三角形３、４が紙８の端部から突き出たフラップまたはタブとして残される。小さな三角形３、４は、図５に示されているようにまとめられた束７の後面で紙８の端部で堅く折り畳まれ、最後に、図６に示されているように束７の一番下の紙１０の下面に対して平らにシールされる。まとめられた束７の前面から見られた際の留め具１のきちんとした外見が、図７で明らかにされている。
【００２７】
留め部を固定することは必須ではないが、図６は、留め具がまとめられた紙の束に対して完璧に整列されることにより、束７の後面で小さな三角形３、４が互いに当接され、大きな三角形２と張り合う大きな三角形を束７の前面に形成しているのを示している。
【００２８】
単一の留め具１は、Ａ３サイズまでの２乃至５枚の紙の束をまとめて留めるときに最も効果的である。より多数の紙または大きな紙がまとめられる場合は、全ての紙を確実に束にするために、付加的な留め具１が、束の他の角部、好ましくは対向角部に取り付け可能である。
【００２９】
幾つかの変形例では、留め具は、後面即ち底面で三角形間の相互境界線に従う折れ線などの折り適合手段によって更に識別可能である。折れ線は、深さと直径とが変更可能であるが、まとめられた文書の束の周りに留め具１を正確かつ迅速に折り畳む際に補助するために組み込まれてもよい。これらの折れ線は、留め具の様々のサイズに適するように比例的に長さ、深さ、および直径が増されたり減じられたりすると予想される。
【００３０】
本留め具は、登録商標Ｐｏｓｔ−Ｉｔとして３Ｍによって市販されているノートレットのように互いに着脱可能に取着された、例えば５０個または１００個のこのような留め具のパッドの１つとして提供されると予想される。留め具は、留め具パッドから剥がすだけで使用可能になる。
【００３１】
本発明の留め具は、多くの従来の紙留め具の効果的な代替品であり、幾多の利点を与えることができる。例えば、本留め具は、取り付けおよび取り外しのために特別なツールを必要とするホチキス針と他の留め具をあらかじめ避けている。故障しがちな可動部品がなく、結果として、品質の高い認識を確実にする。更に、本留め具は、まとめられた紙に見苦しい印、裂け目、または傷を残さない。従って、本留め具で留められた文書の複写され、スキャンされ、あるいはファックス送信された対応物は、ホチキス穴や他の印がなく、きれいにかつ専門家の仕事に見えるだろう。実際に、留め具の単なる取り外しにより、使用者は、コピー、スキャン、またはファックス送信のために、ホチキス針取り外し器を必要とせず、また指やつめを傷つける危険もなく、簡単に紙を取り外すことができる。
【００３２】
一般に、本留め具の人間工学的なデザインは、使用中に１本の指と親指の間に把持されることだけが必要であり、よって、事前知識や訓練を必要とせずに、適度の器用さを有する人間であれば誰でも使用可能である。更に、本留め具は、損傷を生じる可能性は僅かであり極めて安全に使用できる。かくして、幼児と高齢者が使用するのに適している。
【００３３】
本留め具の粘着特性により、ペーパー・クリップと異なり、本留め具は紙がまとめられた束から滑り落ちにくくなっている。これは、意図的に剥がされる必要がある。また、ペーパー・クリップと異なり、本留め具は、その把持性能を損なうような形で伸縮および変形することがない。更に、その平面の外形と粘着性の取り付けとにより、ほつれて図らずも剥がれるようなことがない。
【００３４】
本留め具がコピー、スキャンあるいはファックス送信時に不注意に紙に取り付けられたままになっても、本留め具の可撓性により、こうした作業前にホチキスや他の留め具が完全に取り除かれていなかった場合に一般に被害を被りがちな高価な装置に、損傷を与えることがない。
【００３５】
本発明の留め具は、平らな保管のために紙をまとめることによって、従来のリングバインダーファイルの代替品として使用可能である。穴あけ器とリングバインダーを必要としないことにより、文書は将来的に提出あるいはコピーが可能なように、きれいな傷んでいない状態に維持される。更に、本留め具の特性は、特に文書が水平に保管され保管スペースが割高である場合と、迅速な識別が有益な場合に、便利なファイル保管のために有用である。本留め具の平らな外形と一番下の紙に接着される接着剤とにより、まとめられた束の付加的な厚みを最小に抑えることができるので、より多くの文書が同じ場所に保管可能である。また、文書の束は、各留め具が色分けされ得ることから、迅速に識別および再調査可能であり、また、付加的な装置を必要としない本留め具の迅速かつ簡単な取り付けおよび取り外しにより迅速な取り外しと追加が可能である。文書は、同じ留め具または新しい留め具を用いて新たにまとめられ、保管庫に戻されることが可能である。
【００３６】
本発明の留め具が好ましくは普通紙で形成されていることから、紙の束に取着された際のその外形は、この束の厚みに０．５ｍｍ未満の付加的な厚みを与えるのみである。これは、紙が束にされ、ファイリングされ、あるいは郵送される必要があるときに特に有用である。なぜなら、１つの端部即ち側部の束の厚みが他の端部即ち側部で著しく増すことがなく、このような束の積層状態が比較的均等にされるからである。ファイリングと郵送の問題点もまた軽減される。
【００３７】
同様に、本発明の留め具は、まとめられた紙の束の１つ以上の角部にきちんと静止し、この領域の厚みを著しく増すことがないので、保管の問題点をなくすことができる。更には、使用中の本留め具の整然さと均整美とにより、紙の束を構成する文書から注意をそらすことができる。
【００３８】
本発明の留め具は、留め具が取り外されたときはまとめられた文書を印のない状態で残すために、注釈または頭文字を記す領域を提供できる。本留め具が意図的に取り外されるまでは、まとめられた文書が、留め具が与える情報が文書と共に確実に伝えられるようにしながら配布され得る。一般的には、本留め具のデザインにより、個人または会社のために個別化され（personalised）、暗号化され（coded）、分類され、あるいは商標がつけられた区域の選択が可能にされている。
【００３９】
本発明に係わる留め具のパッドは、コンパクトで、机の上、棚の上、もしくは引き出しの中に便利に収まる。使用者は、特別な保管庫もしくは分配器を必要とせずにこのパッドに迅速にアクセスできる。しかし、そのような保管庫もしくは分配器の使用は本発明によって妨げられるものではない。
【００４０】
その再配置可能な接着剤により、単一の留め具が何度も使用できるが、本留め具は安価であるので、もはや必要でなくなれば廃棄可能である。
【００４１】
本発明の留め具は、３Ｍの商標名Ｒｅｍｏｕｎｔという再配置可能な接着剤を使用することが、現在では好ましい。しかし、異なる接着剤もしくは代替製品を代わりに使用してもよい。これには、例として、３Ｍの再配置可能な接着剤７５、３Ｍの商標名ＳｐｒａｙＭｏｕｎｔのＡｒｔｉｓｔｓ Ａｄｈｅｓｉｖｅ（６０６４／６０６５）ＭＳＤＳ（製品安全データシート）０７７５２８８、３Ｍの商標名ＰｈｏｔｏＭｏｕｎｔのＳｐｒａｙ Ａｄｈｅｓｉｖｅ（６０８９／６０９０／６０９４）ＭＳＤＳ１６６２４８５、３Ｍの商標名Ｓｕｐｅｒ７７のＳｐｒａｙ Ａｄｈｅｓｉｖｅ.ＭＳＤＳ１１４２５７９、３Ｍの商標名Ｓｕｐｅｒ７７のＭｕｌｔｉｐｕｒｐｏｓｅ Ａｄｈｅｓｉｖｅ.ＭＳＤＳ１６３４７２４、３Ｍの商標名Ｂｒａｎｄ Ｓｕｐｅｒ７７のＭｕｌｔｉｐｕｒｐｏｓｅ Ａｄｈｅｓｉｖｅ.（ＸＡ−９４７７）ＭＳＤＳ１１０４５９５、３Ｍの商標名Ｂｒａｎｄ Ｓｕｐｅｒ７７のＭｕｌｔｉｐｕｒｐｏｓｅ Ａｄｈｅｓｉｖｅ（ＥＣ−４４３４Ｘ）ＭＳＤＳ Ｎｏ．’ｓ１０８９５５６、０８７１６１６、０８７１５９０、０８７１５７４、Ｓｃｏｔｃｈの商標名Ｒｅｓｔｉｃｋａｂｌｅ Ａｄｈｅｓｉｖｅ Ｇｌｕｅ Ｓｔｉｃｋ６３１４、およびＳｃｏｔｃｈの商標名Ｒｅｓｔｉｃｋａｂｌｅ Ａｄｈｅｓｉｖｅ Ｇｌｕｅ Ｓｔｉｃｋ６３０７Ｎを含む。
【００４２】
多くの他の変形が、本発明の概念内で可能である。例えば、留め具のディメンションは変更可能だが、留め具が長方形である場合は、留め具の比率が、長辺対短辺の比率が２：１であり続けるように常に一定であると望ましい。留め具のサイズは、それに応じて、１０ｍｍ：５ｍｍ、２０ｍｍ：１０ｍｍ、３０ｍｍ：１５ｍｍ、４０ｍｍ：２０ｍｍ、６０ｍｍ：３０ｍｍ、７０ｍｍ：３５ｍｍ、８０ｍｍ：４０ｍｍ、９０ｍｍ：４５ｍｍ、１００ｍｍ：５０ｍｍ、および２１０ｍｍ：１０５ｍｍなどによって例示される範囲にわたって、大きくされたり小さくされたりされ得る。異なるサイズの幾つかの留め具が、説明のために、図面の図８に重ねられた状態で示されている。
【００４３】
図１に関連した冒頭部で説明したように、留め具１の各部は、２つの三角形外側方タブ３、４と中央の留め部２との間の陰影の対照性によって識別可能である。陰影は、言うまでもなく変えることができる。例えば、図９ａと図９ｂとは、２つの留め具を示しているが、図９ａは、中央部２が外側方タブよりも薄く色付けされた留め具１１を示し、図９ｂは、中央部２が外側方タブ３、４よりも濃く色付けされた留め具１を示している。
【００４４】
色はまた、留め具１の機能と外観とで一役買うこともできる。実際には、幾つかの色の所定の組み合わせあるいは白黒が使用されるが、灯りが暗いところでも文書が識別可能なように、また、個別化された安全保障マーク（personalised security markings）のために、りん光を発する色および蛍光色も使用可能である。色付けは、色のついた紙、普通のカラープリント染料、あるいはメタリック仕上げを与えるようなホイル等のコーティングを使用して果たされてもよい。色のパレットはまた、色が付いた中央の留め部と無色の外側方タブの組み合わせと、その逆の、色のついたタブと無色の（即ち白または自然色）の留め部の組み合わせとを含む。あるいは、折り線が適当に示されていれば、留め具１の全ての部分が同じ色にされてもよい。
【００４５】
図１に係わる説明で、折り線を指すために任意で実線を使用することが述べられていた。このような線はまた、代わって、色を付けられた線、破線、ミシン目の線、折れ線、あるいは、分割線（scored）にされてもよい。ミシン目の線１３、分割線１４は、図１０、図１１に夫々に示され、留め具の材料の可撓性を折り線に沿って局所的に高めるという利点を有する。これにより、中央の留め部２が、まとめられた紙の束の一番上の紙に簡単に配置可能であり、また外側方タブ３、４が、束の端部で折り畳み可能である。
【００４６】
図１１の分割線１４は、断面が図１１の拡大詳細図に示されているように、留め具１５の裏面ではぎざぎざの折り線となっている。この折り線の深さ、幅、および断面形状は、大きく異なる。例えば、折り線の幅は、厚い紙の束並びに／もしくはそれに応じて大きな留め具に適するように大きくされてもよい。折り線の幅は、留め具のサイズとまとめられる予定の紙の枚数とに応じて、２ｍｍから最大で２５ｍｍまでわずかに大きくされ得るであろうと、現在は予想される。以下の表は、この関係を示している。
【表１】
2005537953.tif 000003
【００４７】
図１２に示された更なる任意の手段として、留め具１６が、可撓性が高められた折り線の領域に沿ってまたはこれを横切って塗布され得る比較的強い接着剤のバンド１７を組み込み可能である。図１２は、留め具の主要特性、具体的には、紙の面に接する接着剤の弱さによって確実にされた再剥離性と再配置性とを損ねることなく、束のシートの端部への接着が改良されるという利点を有する構成を示している。
【００４８】
本発明の更なる変形例が、２つの折り線２０、２１の交差点に配置された小さな三角形のノッチ１９を有する留め具１８を示す図１３に見られる（ノッチは、図１３の拡大詳細図で最もよく見られる）。このノッチ１９の目的は、留め具１８がまとめられた紙の束の直角形の角部の周囲で折り畳まれるのを補助して、その機能性を低下させることなく不正確に折り畳まれた場合のための小さな余白部を与えることである。図１４は、この改良された留め具１８が紙の束２２をまとめるために使用されていて、この紙の束２２の角部の先端部２３が、留め具のノッチ１９によって規定された開口部から突き出ているところを示している。
【００４９】
図１３および１４に示されたノッチを有する実施形態の利点は、折り線の突出部または延長部が留め具の外周自体ではなくこの外周の外側の所定点で交差する他の実施形態（図示されず）によっても得られる。折り線が留め具の端部と交差する場合にはこれら折り線が離間されることから、ノッチが、必ずしもこの幾何学を果たすように設けられる必要はない。そのような留め具が使用される場合は、ノッチを有する実施形態とは異なり、まとめられた紙の束の角部の周囲で傾斜されたバンドが規定され、角部の先端部が露出される。
【００５０】
図１５および図１６は、個別化された留め具２４の概念を表している。使用者の頭文字２５によって個別化されているこの例では、頭文字２５が、各外側方タブ３、４に記されている。図１５と図１６を比較すると、頭文字２５がタブ３、４の前面に向けられているので、留め具２４が文書の束２６に取り付けられ、タブ３、４が束２６の後面の周囲で互いに近接するように折り畳まれたときに、図１６の後面図に示されているように頭文字が整列し正確に読まれることが分かるだろう。いうまでもなく、付加的に、または、異なる形態で、頭文字と他のカスタマイズを留め具２４の中央の留め部２に与えることも可能である。
【００５１】
本発明の幾つかの実施形態では、接着剤を使用しないこと、あるいは、接着剤を他の手段で補うことさえも可能である。例えば、外側タブの裏面と中央の留め部とに設けられ、紙の束を挟んだとき磁性により互いに引き付け合って接着剤に頼ることなく紙の束を固定する磁気パッドが、使用可能である。また、留め具の材料が、本質的に磁性であってもよい。シート並びに／もしくは接着剤中の荷電粒子などの静電手段によっても、同様の効果が得られる。この例では、留め具２７の中央の留め部２とタブ３、４とが、例えば図面の図１７に示されているような対向面を有する。この結果として、留め具２７が上述されたように使用中に折り畳まれると、留め具２７の正電気を帯びた部分と負電気を帯びた部分とが紙の束２８を間に挟む。図１８に示されているように、引力がまとめられた紙２８をしっかりと固定するように働く。
【００５２】
上述されたように、留め具のデザインは、個人または会社のために個別化され、暗号化され、分類され、あるいは、商標がつけられた区域の選択を提供し、更に、留め具を取り除いたときにまとめられた文書を印のない状態で残すための注釈領域を提供する。更なる他の実施形態では、留め部は、書かれたまたはプリントされた情報、例えば配布リストなどを有するようにより大きな領域を提供するように大きくされている。
【００５３】
図２１に示されているように、大きくされた区域４０が、三角形というよりはむしろ長方形（この例では正方形）の留め部によって形成されている。あるいは、留め部は、留め部をその境界線４６、４８の少なくとも一方を超えるように大きくすることによって第２の大きな区域（点線で示された区域４２、４４によって例示された）を形成するように、更に拡大可能である。実際に、図２１に示された大きくされた留め部は長方形であるが、この形状は好ましいだけであって、必須ではない。例えば、留め部が、紙の角部と整列するのに必要なその直線形状の互いに直交する境界線の間に、湾曲形状や不規則な形状など如何なる形状の境界線を有することも可能であろう。
【００５４】
上述された実施形態では、折り線領域に沿っておよびこれを横切ってシートの端部に接着するように塗布された比較的強い接着剤を使用することによって、複数の紙が保持固定され得るが、状況によっては、１枚以上の紙が束から外れる危険を最小に抑えるために、複数枚の紙の束がもっと堅く保持される必要が出てくる。このために、図２２は、使用者によって破られて必要に応じて幾つかのセグメントを形成する切込みスリットまたはミシン目の線６２などの弱くされた線によってタブ５２がセグメント５４、５６、５８、６０に分割された留め具５０を示している。図２２に示された実施形態では、スリットもしくは弱くされた線６２が、図示されているように留め具５０の上方角部から延び、三角形の中央の留め部６４と２つのタブ５２との間で長さ方向に沿って真中で直交する相互境界線４６、４８と交差する。かくして、弱くされたスリットあるいは線６２は、相互境界線４６、４８と共に、夫々が直角三角形である４つのセグメント５４、５６、５８、６０を規定する。
【００５５】
図２２に示された実施形態の留め具５０は、５枚までの紙の束を固定するために使用可能であり、各紙は、留め具５０によって互いに接着されている。この形態では、留め具５０が、図２３に示されているように、束の一番上の紙６６に面する留め部６４の側面に接着剤を配置することによって使用可能である。留め具５０は、留め部６４とタブ５２との間の相互境界線４６、４８を、取り付けられる角部で交差する紙６６の端部６８、７０と整列させて、タブ５２が端部６８、７０と重なるようにするために、一番上の紙６６に向けられている。
【００５６】
第２の紙７２を固定するために、示されている上方タブ５２のセグメント５０は、図２４ａに示されているように、第１の紙６６の上端部６８で折り畳まれ、第２の紙７２の裏面に固定される。第２の紙がこのように固定されると、第３の紙７４が、最初の２枚の紙６６、７２と整列され、示されているようなタブ５２のセグメント５４が、図２４ｂに示されているように第３の紙７４を固定するように側端部７０で折り畳まれる。同様に、第４の紙７６が、最初の３枚の紙６６、７２、７４と整列され、示されているような上方タブ５２のセグメント５８が、図２４ｃに示されているようにこの第４の紙７６を束に固定するように束の上端部６８で折り畳まれる。最後に、第５の紙７８が最初の４つの紙６６、７２、７４、７６と整列され、側方タブ５２の最後のセグメント５６が、図２４ｄに示されているようにこの第５の紙７８を束にして固定するように束の側端部７０で折り畳まれる。また、例えば、第２の留め部５０についても、同じ処理を繰り返すことによって９枚の紙を固定することが可能である。この第２の留め部５０は、束の第９の紙に固定され、同じように、第８の紙、第７の紙、第６の紙、および第５の紙に順に取り付けられる。
【００５７】
本発明の留め具が、より多数のあるいは少数のタブセグメントを形成することによって上述された方法と似た方法で適当数の紙を束として固定するために使用可能であることが、当業者には明らかだろう。例えば、３枚の紙の束を図１の上述された例で示されているように２つのタブを有する留め具によって固定することも確実に可能である。即ち、３枚の紙の夫々が、図１の留め具１によって互いに接着されている。これを行う技術が、図２５、図２６ａ、及び図２６ｂに示されている。
【００５８】
図２５に示されているように、留め具１は、束の一番上の紙８０に面した留め部２の側面に接着剤を配置させることによって使用可能である。上述された例のように、留め具１は、留め部２とタブ３、４との間の相互境界線８２、８４を、取り付けられる角部で交差する紙８０の端部８６、８８と整列させて、タブ３、４が端部８６、８８と重なるようにするために、一番上（第１）の紙８０に向けられている。第２の紙９０を固定するために、示されているような側方タブ３は、第１の紙８０の側端部８６で折り畳まれ、図２６ａに示されているように第２の紙９０の裏面に固定される。第２の紙がこのように固定されると、第３の紙９２が、最初の２枚の紙８０、９０と整列され、示されているような上方タブ４が、第１の紙８０の上端部８８で折り畳まれ、図２６ｂに示されているように第３の紙９２の裏面に固定される。
【００５９】
最後に、本発明の態様は、本留め具の形状が、三角形に限定されない、菱形、円形、半円形などを含む長方形以外の形状であり、本留め具は、角部で交差する端部を集めるポケットとして働くのではなくヒンジとして１つの端部に沿って複数枚の紙を集めるものであると想定している。このために、単一の直線の折り線が使用可能であり、この直線の折り線は、止め具の所定の軸に沿って延び得る。例えば、折り線２９は、図１９ａの留め具３０の示されているような長方形形状の短辺と平行であり、または、折り線３１は、図２０ａの留め具３２の示されているような長方形形状の長辺と平行である。図１９ｂ、図２０ｂは、図１９ａ、図２０ａの留め具３０、３２の対応する裏面図を夫々に示し、各留め具３０、３２が、その後面の大部分を覆う接着層３３をどのように有しているかを示している。しかし、接着ストリップ３４が、留め具３０、３２の取り付け、取り外し、および再配置を簡単にするために、各長方形形状の１端部に沿って、折り線２９、３１に対して平行に適当に残されることに注意したい。
【００６０】
幾多の他の変形が本発明の範囲内で可能である。従って、本発明の範囲を確定させるための上述された特定の説明よりも、請求項と本明細書の他の概念的な説明とを参照すべきである。
【図面の簡単な説明】
【００６１】
【図１】本発明の好ましい実施形態に係わる留め具の前面図即ち上面図である。
【図２】図１の留め具の後面図即ち底面図である。
【図３】図１及び図２の留め具を取り付けるために束にされた複数枚の紙を示す。
【図４】図３から続いた前面即ち上面図であり、束の一番上の紙の角部に取り付けられ、まだ折り畳まれていない状態の留め具を示す。
【図５】図４から続いた側面図であり、束の一番下の紙の後ろに折り畳まれた状態の、留め具の小さい方の三角形タブ部を示す。
【図６】束の一番下の紙に取り付けられた留め具を示す裏面図である。
【図７】図１乃至６に係わる留め具によってまとめられた紙の束の前面図である。
【図８】比較のために重ねられた状態で示された他のサイズの幾つかの留め具の前面図である。
【図９ａ】異なる濃淡もしくは色合いの可能性を対照させた留め具の１つの前面図である。
【図９ｂ】異なる濃淡もしくは色合いの可能性を対照させた留め具のもう１つの前面図である。
【図１０】ミシン目の線によって折り線が示されている留め具の前面図である。
【図１１】折り線が折れ線によって示されている留め具の前面図である。
【図１２】幅の広い折れ線が比較的強い接着剤の塗布領域を有する留め具の前面図である。
【図１３】２つの折り線の間の交差領域内でノッチがシートの端部から内方へと延びている留め具の前面図である。
【図１４】紙の束をまとめるのに使用されている図１３の留め具の前面図である。
【図１５】各外側方タブ領域に証印成分を有する留め具の前面図である。
【図１６】紙の束をまとめて留めるために使用されている図１５の留め具の裏面図である。
【図１７】静電気引力で用いる留め具の裏面図である。
【図１８】紙の束をまとめて留めるために使用されている図１７の留め具の裏面図である。
【図１９ａ】長方形の留め具であって、この長方形形状の短辺に平行に延びた単一の折り線を有する留め具の前面図である。
【図１９ｂ】長方形の留め具であって、この長方形形状の短辺に平行に延びた単一の折り線を有する留め具の裏面図である。
【図２０ａ】長方形の留め具であって、この長方形形状の長辺に平行に延びた単一の折り線を有する留め具の前面図である。
【図２０ｂ】長方形の留め具であって、この長方形形状の長辺に平行に延びた単一の折り線を有する留め具の裏面図である。
【図２１】束のうちの一番上の紙の角部に取り付けられた留め具を示す、本発明のもう１つの実施形態に係わる留め具の前面図または上面図であり、この留め具は、拡大された長方形の留め部を有する。
【図２２】長方形のタブ部が分割されている、本発明の更なる実施形態に係わる留め具の前面図即ち上面図である。
【図２３】図２２から続いた前面図即ち上面図であり、セグメントが束の紙の周囲で折られる前の状態にある、束の一番上の紙の角部に取り付けられた留め具を示す。
【図２４ａ】セグメントが取り付けられた状態の図２３の束の紙の裏面図である。
【図２４ｂ】セグメントが取り付けられた状態の図２３の束の紙の裏面図である。
【図２４ｃ】セグメントが取り付けられた状態の図２３の束の紙の裏面図である。
【図２４ｄ】セグメントが取り付けられた状態の図２３の束の紙の裏面図である。
【図２５】タブ部が折られる前の状態にある、文書の束の一番上の紙に取り付けられた図１の留め具の前面図即ち上面図である。
【図２６ａ】タブ部が取り付けられている図２５の束の紙の裏面図である。
【図２６ｂ】タブ部が取り付けられている図２５の束の紙の裏面図である。
【図１】
2005537953.tif 000004
【図２】
2005537953.tif 000005
【図３】
2005537953.tif 000006
【図４】
2005537953.tif 000007
【図５】
2005537953.tif 000008
【図６】
2005537953.tif 000009
【図７】
2005537953.tif 000010
【図８】
2005537953.tif 000011
【図９ａ】
2005537953.tif 000012
【図９ｂ】
2005537953.tif 000013
【図１０】
2005537953.tif 000014
【図１１】
2005537953.tif 000015
【図１２】
2005537953.tif 000016
【図１３】
2005537953.tif 000017
【図１４】
2005537953.tif 000018
【図１５】
2005537953.tif 000019
【図１６】
2005537953.tif 000020
【図１７】
2005537953.tif 000021
【図１８】
2005537953.tif 000022
【図１９ａ】
2005537953.tif 000023
【図１９ｂ】
2005537953.tif 000024
【図２０ａ】
2005537953.tif 000025
【図２０ｂ】
2005537953.tif 000026
【図２１】
2005537953.tif 000027
【図２２】
2005537953.tif 000028
【図２３】
2005537953.tif 000029
【図２４ａ】
2005537953.tif 000030
【図２４ｂ】
2005537953.tif 000031
【図２４ｃ】
2005537953.tif 000032
【図２４ｄ】
2005537953.tif 000033
【図２５】
2005537953.tif 000034
【図２６ａ】
2005537953.tif 000035
【図２６ｂ】
2005537953.tif 000036
【手続補正書】
【提出日】平成17年5月20日(2005.5.20)
【手続補正１】
【補正対象書類名】特許請求の範囲
【補正対象項目名】全文
【補正方法】変更
【補正の内容】
【特許請求の範囲】
【請求項１】
文書の束（７）をまとめるための留め具であって、この留め具は、
折り畳み可能なシートであって、このシートを中央の留め部（２）と第１および第２の外側のタブ部（３、４）とに分割するように互いに直交しシートの端部で交差する第１および第２の折り線が付けられている折り畳み可能なシートと、
前記留め部（２）とタブ部（３、４）とを束（７）の少なくとも一番上の文書と最後の文書とに取り付けるための再配置可能な接着剤（５）とを具備し、
前記第１および第２の折り線は、第１および第２の外側のタブ部（３、４）を前記端部で折り畳む前に留め部（２）を束（７）の一番上の文書に取り付ける際に束ねられた文書（７）の角部で互いに直交する端部と整列され、また、前記外側のタブ部（３、４）が前記端部で折り畳まれるときは、これら両タブ部（３、４）は、最後の文書に対して平らに位置するように束（７）の最後の文書に取り付けられるために互いに実質的に当接する留め具。
【請求項２】
文書の束（７）をまとめる留め具であって、この留め具は、
互いに直交する第１および第２の折り線がつけられ、これら第１および第２の折り線の延長部が、前記シートを中央の留め部（２）と第１および第２の外側のタブ部（３、４）とに分割するように前記シートの外周の外部で交差している、折り畳み可能なシートと、
前記留め部（２）とタブ部（３、４）とを束（７）の少なくとも一番上の文書と最後の文書とに取り付けるための再配置可能な接着剤（５）とを具備し、
前記第１および第２の折り線は、第１および第２のタブ部（３、４）を前記端部で折り畳む前に留め部（２）を束（７）の一番上の文書に取り付ける際にまとめられた文書（７）の角部で互いに直交する端部と整列され、また、前記外側のタブ部（３、４）が前記端部で折り畳まれるときは、これら両タブ部は、最後の文書に対して平らに位置するように束の最後の文書に取り付けられるために互いに実質的に当接する留め具。
【請求項３】
前記接着剤（５）は、前記シートの片面に設けられた層である請求項１もしくは２の留め具。
【請求項４】
前記シートの片面の小さい方の端部が、非粘着性にされている請求項３の留め具。
【請求項５】
前記留め部（２）とタブ部（３、４）とは、異なる濃さまたは色合いによって互いに識別可能である請求項１ないし５のいずれか１の留め具。
【請求項６】
前記留め部（２）とタブ部（３、４）との間の相互境界線が、プリントされた線、ミシン目の線（１３）、または折れ線（１４）によって示されている請求項１ないし６のいずれか１の留め具。
【請求項７】
前記境界線は、折れ線（１４）によって示され、また、残った前記接着剤（５）と比べて比較的強い接着剤（１７）が、この折れ線に沿っておよびこれを横切って延びている請求項６の留め具。
【請求項８】
ノッチ（１９）が、シートの前記端部から前記交差の領域内で内方に延びている請求項３ないし７のいずれか１の留め具。
【請求項９】
前記シートは、長方形である請求項１ないし８のいずれか１の留め具。
【請求項１０】
前記長方形の長辺対短辺の比率は、２：１である請求項９の留め具。
【請求項１１】
前記折り線は、前記シートを、三角形の中央の留め部（２）と、これの側に位置しこれに対して裏返しにされた形の２つの三角形の外側のタブ部（３、４）とに分割している請求項９もしくは１０の留め具。
【請求項１２】
前記両タブ部（３、４）が、束（７）の最後の文書に取り付けられるように互いに実質的に当接すると、一緒になって、最後の文書の裏面に、束（７）の一番上の文書に取り付けられた三角形の留め部（２）に対応する三角形を作る請求項１１の留め具。
【請求項１３】
前記中央の留め部（２）は、互いに直交する折り線と、これら折り線の外側端部に交わる少なくとも１つの端部とによって規定されている請求項１乃至８のいずれか１の留め具。
【請求項１４】
前記端部は、前記折り線に対向し互いに直交する２つの側面を有する請求項１３の留め具。
【請求項１５】
前記側面の各々は、三角形の中央の留め部（４０、４２、４４）を規定するように対向する折り線の一方に夫々に平行である請求項１４の留め具。
【請求項１６】
前記少なくとも１つの端部は、湾曲されているか不規則にされている請求項１３の留め具。
【請求項１７】
前記留め部（２；４０、４２、４４）の少なくとも１つの境界線は、前記留め部（２；４０、４２、４４）と外側のタブ部（３、４）との間の相互境界線の延長部である請求項１３乃至１６のいずれか１の留め具。
【請求項１８】
前記第１および第２のタブ部（３、４）の夫々に与えられた２つの構成成分に分割される図形のものあるいは印を有し、タブ部（３、４）が束（７）の最後の文書に取り付けられると、これら２つの構成成分が一緒に見られるように結合される請求項１乃至１７のいずれか１の留め具。
【請求項１９】
請求項１乃至１８のいずれか１の留め具用のパッド。
【請求項２０】
文書の束をまとめる留め具であって、この留め具は、
折り畳み可能なシートであって、このシートを、中央の留め部（６４）と、まとめられた文書の角部で互いに直交する端部において折り畳み可能な第１および第２の外側のタブ部（５２）とに分割するように互いに直交する第１および第２の折り線（４６、４８）が付けられている折り畳み可能なシートと、
前記留め部（６４）とタブ部（５２）とを、束の少なくとも一番上の文書と最後の文書とに束の端部で折り畳まれ得るように取り付けるための再配置可能な接着剤（５）とを具備し、前記外側のタブ部（５２）の少なくとも１つは、２つ以上のセグメント（５４、５６、５８、６０）に分割され、各セグメントは、束の夫々の文書への取り付けのために束の互いに直交する端部の１つで折り畳み可能である、留め具。
【請求項２１】
前記留め部（６４）とタブ部（５２）とは、異なる濃さまたは色合いによって互いに識別可能である請求項２０の留め具。
【請求項２２】
前記留め部（６４）とタブ部（５２）との間の相互境界線が、プリントされた線、ミシン目の線、または折れ線によって示されている請求項２０もしくは２１の留め具。
【請求項２３】
前記第１および第２の折り線（４６、４８）は、シートの端部で交差する請求項２０ないし２２のいずれか１の留め具。
【請求項２４】
前記折り線（４６、４８）は、前記シートを、中央の留め部（６４）と、これの側に位置しこれに対して裏返しにされた形の２つの外側の三角形の部分（５２）とに分割し、また、前記中央の留め部（６４）は、互いに直交する折り線と、これら折り線の外側端部に交わる少なくとも１つの端部とによって規定されている請求項２０ないし２３のいずれか１の留め具。
【請求項２５】
請求項２０の留め具用のパッド。
【請求項２６】
請求項２０の留め具（５０）を使用して文書の束を留める方法であって、
前記留め具（５０）の第１及び第２の折り線（４６、４８）を、留められる角部内で、束の一番上の文書（６６）の端部と整列させることと、
前記留め具（５０）の留め部（６４）を一番上の第１の文書（６６）に取り付けることと、
前記第１の文書（６６）と整列させるように第２の文書（７２）を束に加えることと、
前記留め具（５０）の第１のタブ部（５２、５４、５６、５８、６０）を束の関連した端部で折り畳み、この第１のタブ部（５２、５４、５６、５８、６０）を前記第２の文書（７２）に取り付けることと、
前記第１及び第２の文書（６６、７２）と整列させるように第３の文書（７４）を束に加えることと、
前記留め具（５０）の第２のタブ部（５２、５４、５６、５８、６０）を束の関連した端部で折り畳み、この第２のタブ部（５２、５４、５６、５８、６０）を前記第３の文書（７４）に取り付けることとを具備する方法。
【請求項２７】
前記第１及び第２のタブ部（５２、５４、５６、５８、６０）は、束の異なる端部で折り畳まれる請求項２６の方法。
【請求項２８】
請求項２０と請求項２０に従属する全ての請求項のいずれか１の留め具を使用する場合、タブ部の前記セグメントは、束の異なる文書に夫々取り付けられる請求項２６もしくは２７の方法。
【国際調査報告】
2005537953.tif 000037
2005537953.tif 000038